(57)【特許請求の範囲】
【請求項１】
撮像手段により撮影した画像データの出力を制御する出力制御方法であって、前記画像データを表示手段に表示するための表示制御工程を有し、該表示制御工程は、前記画像データの中のサムネイル画像と主画像とのアスペクト比を比較し、それらが同一であれば前記サムネイル画像を前記表示手段に表示する表示用データとして使用し、また、それらが異なれば前記主画像を前記表示用データとして使用するように制御することを特徴とする出力制御方法。
【請求項２】
前記撮像手段は、デジタルカメラであることを特徴とする請求項１記載の出力制御方法。
【請求項３】
前記表示手段は、ＣＲＴ（Ｃａｔｈｏｄ  Ｒａｙ  Ｔｕｂｅ：陰極線管）表示器であることを特徴とする請求項１記載の出力制御方法。
【請求項４】
前記表示手段は、ＬＣＤ（Ｌｉｑｕｉｄ  Ｃｒｙｓｔａｌ  Ｄｉｓｐｌａｙ：液晶）表示器であることを特徴とする請求項１記載の出力制御方法。
【請求項５】
前記表示手段は、テレビジョン受像機であることを特徴とする請求項１〜３または４記載の出力制御方法。
【請求項６】
撮像手段により撮影した画像データの出力を制御する出力制御装置であって、前記画像データを表示手段に表示するための表示制御手段を有し、該表示制御手段は、前記画像データの中のサムネイル画像と主画像とのアスペクト比を比較し、それらが同一であれば前記サムネイル画像を前記表示手段に表示する表示用データとして使用し、また、それらが異なれば前記主画像を前記表示用データとして使用するように制御することを特徴とする出力制御装置。
【請求項７】
前記撮像手段は、デジタルカメラであることを特徴とする請求項６記載の出力制御装置。
【請求項８】
前記表示手段は、ＣＲＴ（Ｃａｔｈｏｄ  Ｒａｙ  Ｔｕｂｅ：陰極線管）表示器であることを特徴とする請求項６記載の出力制御装置。
【請求項９】
前記表示手段は、ＬＣＤ（Ｌｉｑｕｉｄ  Ｃｒｙｓｔａｌ  Ｄｉｓｐｌａｙ：液晶）表示器であることを特徴とする請求項６記載の出力制御装置。
【請求項１０】
前記表示手段は、テレビジョン受像機であることを特徴とする請求項６〜８または９記載の出力制御装置。
【請求項１１】
撮像手段により撮影した画像データの出力を制御する出力制御方法であって、前記画像データを表示手段に表示するための表示制御工程を有し、該表示制御工程は、前記画像データの中のサムネイル画像と主画像との縦横比を比較し、それらが同一であれば前記サムネイル画像を前記表示手段に表示する表示用データとして使用し、また、それらが異なれば前記サムネイル画像を前記主画像の縦横比となるように切り取って前記表示用データとして使用するように制御することを特徴とする出力制御方法。
【請求項１２】
前記サムネイル画像を前記主画像の縦横比となるように切り取る際に、前記サムネイル画像と前記主画像の中心を合わせることを特徴とする請求項１１記載の出力制御方法。
【請求項１３】
前記サムネイル画像を前記主画像の縦横比となるように切り取る際に、前記表示制御工程は、前記撮像手段の機種情報を取得し、前記サムネイル画像の切り取る位置を判断することを特徴とする請求項１１記載の出力制御方法。
【請求項１４】
前記撮像手段は、デジタルカメラであることを特徴とする請求項１１記載の出力制御方法。
【請求項１５】
前記表示手段は、ＣＲＴ（Ｃａｔｈｏｄ  Ｒａｙ  Ｔｕｂｅ：陰極線管）表示器であることを特徴とする請求項１１記載の出力制御方法。
【請求項１６】
前記表示手段は、ＬＣＤ（Ｌｉｑｕｉｄ  ＣｒｙｓｔａｌＤｉｓｐｌａｙ：液晶）表示器であることを特徴とする請求項１１記載の出力制御方法。
【請求項１７】
前記表示手段は、テレビジョン受像機であることを特徴とする請求項１１〜１５または１６記載の出力制御方法。
【請求項１８】
撮像手段により撮影した画像データの出力を制御する出力制御装置であって、前記画像データを表示手段に表示するための表示制御手段を有し、該表示制御手段は、前記画像データの中のサムネイル画像と主画像との縦横比を比較し、それらが同一であれば前記サムネイル画像を前記表示手段に表示する表示用データとして使用し、また、それらが異なれば前記サムネイル画像を前記主画像の縦横比となるように切り取って前記表示用データとして使用するように制御することを特徴とする出力制御装置。
【請求項１９】
前記サムネイル画像を前記主画像の縦横比となるように切り取る際に、前記サムネイル画像と前記主画像の中心を合わせることを特徴とする請求項１８記載の出力制御装置。
【請求項２０】
前記サムネイル画像を前記主画像の縦横比となるように切り取る際に、前記表示制御手段は、前記撮像手段の機種情報を取得し、前記サムネイル画像の切り取る位置を判断することを特徴とする請求項１８記載の出力制御装置。
【請求項２１】
前記撮像手段は、デジタルカメラであることを特徴とする請求項１８記載の出力制御装置。
【請求項２２】
前記表示手段は、ＣＲＴ（Ｃａｔｈｏｄ  Ｒａｙ  Ｔｕｂｅ：陰極線管）表示器であることを特徴とする請求項１８記載の出力制御装置。
【請求項２３】
前記表示手段は、ＬＣＤ（Ｌｉｑｕｉｄ  ＣｒｙｓｔａｌＤｉｓｐｌａｙ：液晶）表示器であることを特徴とする請求項１８記載の出力制御装置。
【請求項２４】
前記表示手段は、テレビジョン受像機であることを特徴とする請求項１８〜２２または２３記載の出力制御装置。
【請求項２５】
撮像手段により撮影した画像データの出力を制御する出力制御方法であって、前記画像データを読み込む画像データ読み込み工程と、該画像データ読み込み工程により読み込んだ前記画像データを表示手段に表示するための表示制御工程と、該表示制御工程の指示に従って前記表示手段に表示するための表示データを形成する表示データ形成工程と、該表示データ形成工程により形成した表示データを前記表示手段に出力する表示データ出力工程とを有し、該表示制御工程は、前記画像データ読み込み工程により読み込んだ画像データの中のサムネイル画像と主画像とのアスペクト比を比較し、それらが同一であれば前記サムネイル画像を前記表示手段に表示する表示用データとして使用し、また、それらが異なれば前記主画像を前記表示用データとして使用するように制御することを特徴とする出力制御方法。
【請求項２６】
前記撮像手段は、デジタルカメラであることを特徴とする請求項２５記載の出力制御方法。
【請求項２７】
前記表示手段は、ＣＲＴ（Ｃａｔｈｏｄ  Ｒａｙ  Ｔｕｂｅ：陰極線管）表示器であることを特徴とする請求項２５記載の出力制御方法。
【請求項２８】
前記表示手段は、ＬＣＤ（Ｌｉｑｕｉｄ  ＣｒｙｓｔａｌＤｉｓｐｌａｙ：液晶）表示器であることを特徴とする請求項２５記載の出力制御方法。
【請求項２９】
前記表示手段は、テレビジョン受像機であることを特徴とする請求項２５〜２７または２８記載の出力制御方法。
【請求項３０】
撮像手段により撮影した画像データの出力を制御する出力制御装置であって、前記画像データを読み込む画像データ読み込み手段と、該画像データ読み込み手段により読み込んだ前記画像データを表示手段に表示するための表示制御手段と、該表示制御手段の指示に従って前記表示手段に表示するための表示データを形成する表示データ形成手段と、該表示データ形成手段により形成した表示データを前記表示手段に出力する表示データ出力手段とを有し、該表示制御手段は、前記画像データ読み込み手段により読み込んだ前記画像データの中のサムネイル画像と主画像との縦横比を比較し、それらが同一であれば前記サムネイル画像を前記表示手段に表示する表示用データとして使用し、また、それらが異なれば前記サムネイル画像を前記主画像の縦横比となるように切り取り前記表示用データとして使用するように制御することを特徴とする出力制御装置。
【請求項３１】
前記サムネイル画像を前記主画像の縦横比となるように切り取る際に、前記サムネイル画像と前記主画像の中心を合わせることを特徴とする請求項３０記載の出力制御装置。
【請求項３２】
前記サムネイル画像を前記主画像の縦横比となるように切り取る際に、前記表示制御手段は、前記撮像手段の機種情報を取得し、前記サムネイル画像の切り取る位置を判断することを特徴とする請求項３０記載の出力制御装置。
【請求項３３】
前記撮像手段は、デジタルカメラであることを特徴とする請求項３０記載の出力制御装置。
【請求項３４】
前記表示手段は、ＣＲＴ（Ｃａｔｈｏｄ  Ｒａｙ  Ｔｕｂｅ：陰極線管）表示器であることを特徴とする請求項３０記載の出力制御装置。
【請求項３５】
前記表示手段は、ＬＣＤ（Ｌｉｑｕｉｄ  ＣｒｙｓｔａｌＤｉｓｐｌａｙ：液晶）表示器であることを特徴とする請求項３０記載の出力制御装置。
【請求項３６】
前記表示手段は、テレビジョン受像機であることを特徴とする請求項３０〜３４または３５記載の出力制御装置。
【請求項３７】
撮像手段により撮影した画像データの出力を制御する出力制御装置を制御するための制御プログラムを格納し且つ読取手段により読み取り可能な記憶媒体であって、前記制御プログラムは、前記画像データを表示手段に表示するための表示制御モジュールを有し、該表示制御モジュールは、前記画像データの中のサムネイル画像と主画像とのアスペクト比を比較し、それらが同一であれば前記サムネイル画像を前記表示手段に表示する表示用データとして使用し、また、それらが異なれば前記主画像を前記表示用データとして使用するように制御することを特徴とする記憶媒体。
【請求項３８】
前記撮像手段は、デジタルカメラであることを特徴とする請求項３７記載の記憶媒体。
【請求項３９】
前記表示手段は、ＣＲＴ（Ｃａｔｈｏｄ  Ｒａｙ  Ｔｕｂｅ：陰極線管）表示器であることを特徴とする請求項３７記載の記憶媒体。
【請求項４０】
前記表示手段は、ＬＣＤ（Ｌｉｑｕｉｄ  ＣｒｙｓｔａｌＤｉｓｐｌａｙ：液晶）表示器であることを特徴とする請求項３７記載の記憶媒体。
【請求項４１】
前記表示手段は、テレビジョン受像機であることを特徴とする請求項３７〜３９または４０記載の記憶媒体。
【請求項４２】
撮像手段により撮影した画像データの出力を制御する出力制御装置を制御するための制御プログラムを格納し且つ読取手段により読み取り可能な記憶媒体であって、前記制御プログラムは、前記画像データを表示手段に表示するための表示制御手段を有し、該表示制御手段は、前記画像データの中のサムネイル画像と主画像との縦横比を比較し、それらが同一であれば前記サムネイル画像を前記表示手段に表示する表示用データとして使用し、また、それらが異なれば前記サムネイル画像を前記主画像の縦横比となるように切り取って前記表示用データとして使用するように制御することを特徴とする記憶媒体。
【請求項４３】
前記サムネイル画像を前記主画像の縦横比となるように切り取る際に、前記サムネイル画像と前記主画像の中心を合わせることを特徴とする請求項４２記載の記憶媒体。
【請求項４４】
前記サムネイル画像を前記主画像の縦横比となるように切り取る際に、前記表示制御手段は、前記撮像手段の機種情報を取得し、前記サムネイル画像の切り取る位置を判断することを特徴とする請求項４２記載の記憶媒体。
【請求項４５】
前記撮像手段は、デジタルカメラであることを特徴とする請求項４２記載の記憶媒体。
【請求項４６】
前記表示手段は、ＣＲＴ（Ｃａｔｈｏｄ  Ｒａｙ  Ｔｕｂｅ：陰極線管）表示器であることを特徴とする請求項４２記載の記憶媒体。
【請求項４７】
前記表示手段は、ＬＣＤ（Ｌｉｑｕｉｄ  ＣｒｙｓｔａｌＤｉｓｐｌａｙ：液晶）表示器であることを特徴とする請求項４２記載の記憶媒体。
【請求項４８】
前記表示手段は、テレビジョン受像機であることを特徴とする請求項４２〜４６または４７記載の記憶媒体。
【請求項４９】
撮像手段により撮影した画像データの出力を制御する出力制御装置を制御するための制御プログラムを格納した記憶媒体であって、前記制御プログラムは、前記画像データを読み込む画像データ読み込みモジュールと、該画像データ読み込みモジュールにより読み込んだ前記画像データを表示手段に表示するための表示制御モジュールと、該表示制御モジュールの指示に従って前記表示手段に表示するための表示データを形成する表示データ形成モジュールと、該表示データ形成モジュールにより形成した表示データを前記表示手段に出力する表示データ出力モジュールとを有し、該表示制御モジュールは、前記画像データ読み込みモジュールにより読み込んだ画像データの中のサムネイル画像と主画像とのアスペクト比を比較し、それらが同一であれば前記サムネイル画像を前記表示手段に表示する表示用データとして使用し、また、それらが異なれば前記主画像を前記表示用データとして使用するように制御することを特徴とする記憶媒体。
【請求項５０】
前記撮像手段は、デジタルカメラであることを特徴とする請求項４９記載の記憶媒体。
【請求項５１】
前記表示手段は、ＣＲＴ（Ｃａｔｈｏｄ  Ｒａｙ  Ｔｕｂｅ：陰極線管）表示器であることを特徴とする請求項４９記載の記憶媒体。
【請求項５２】
前記表示手段は、ＬＣＤ（Ｌｉｑｕｉｄ  ＣｒｙｓｔａｌＤｉｓｐｌａｙ：液晶）表示器であることを特徴とする請求項４９記載の記憶媒体。
【請求項５３】
前記表示手段は、テレビジョン受像機であることを特徴とする請求項４９〜５１または５２記載の記憶媒体。
【請求項５４】
撮像手段により撮影した画像データの出力を制御する出力制御装置を制御するための制御プログラムを格納した記憶媒体であって、前記制御プログラムは、前記画像データを読み込む画像データ読み込みモジュールと、該画像データ読み込みモジュールにより読み込んだ前記画像データを表示手段に表示するための表示制御モジュールと、該表示制御モジュールの指示に従って前記表示手段に表示するための表示データを形成する表示データ形成モジュールと、該表示データ形成モジュールにより形成した表示データを前記表示手段に出力する表示データ出力モジュールとを有し、該表示制御モジュールは、前記画像データ読み込みモジュールにより読み込んだ前記画像データの中のサムネイル画像と主画像との縦横比を比較し、それらが同一であれば前記サムネイル画像を前記表示手段に表示する表示用データとして使用し、また、それらが異なれば前記サムネイル画像を前記主画像の縦横比となるように切り取り前記表示用データとして使用するように制御することを特徴とする記憶媒体。
【請求項５５】
前記サムネイル画像を前記主画像の縦横比となるように切り取る際に、前記サムネイル画像と前記主画像の中心を合わせることを特徴とする請求項５４記載の記憶媒体。
【請求項５６】
前記サムネイル画像を前記主画像の縦横比となるように切り取る際に、前記表示制御手段は、前記撮像手段の機種情報を取得し、前記サムネイル画像の切り取る位置を判断することを特徴とする請求項５４記載の記憶媒体。
【請求項５７】
前記撮像手段は、デジタルカメラであることを特徴とする請求項５４記載の記憶媒体。
【請求項５８】
前記表示手段は、ＣＲＴ（Ｃａｔｈｏｄ  Ｒａｙ  Ｔｕｂｅ：陰極線管）表示器であることを特徴とする請求項５４記載の記憶媒体。
【請求項５９】
前記表示手段は、ＬＣＤ（Ｌｉｑｕｉｄ  ＣｒｙｓｔａｌＤｉｓｐｌａｙ：液晶）表示器であることを特徴とする請求項５４記載の記憶媒体。
【請求項６０】
前記表示手段は、テレビジョン受像機であることを特徴とする請求項５４〜５８または５９記載の記憶媒体。
【請求項６１】
前記記憶媒体は、フロッピーディスクであることを特徴とする請求項３７〜５９または６０記載の記憶媒体。
【請求項６２】
前記記憶媒体は、ハードディスクであることを特徴とする請求項３７〜５９または６０記載の記憶媒体。
【請求項６３】
前記記憶媒体は、光ディスクであることを特徴とする請求項３７〜５９または６０記載の記憶媒体。
【請求項６４】
前記記憶媒体は、光磁気ディスクであることを特徴とする請求項３７〜５９または６０記載の記憶媒体。
【請求項６５】
前記記憶媒体は、ＣＤ−ＲＯＭ（Ｃｏｍｐａｃｔ  Ｄｉｓｋ  Ｒｅａｄ  Ｏｎｌｙ  Ｍｅｍｏｒｙ）であることを特徴とする請求項３７〜５９または６０記載の記憶媒体。
【請求項６６】
前記記憶媒体は、ＣＤ−Ｒ（Ｃｏｍｐａｃｔ  Ｄｉｓｋ  Ｒｅｃｏｒｄａｂｌｅ）であることを特徴とする請求項３７〜５９または６０記載の記憶媒体。
【請求項６７】
前記記憶媒体は、磁気テープであることを特徴とする請求項３７〜５９または６０記載の記憶媒体。
【請求項６８】
前記記憶媒体は、不揮発性メモリカードであることを特徴とする請求項３７〜５９または６０記載の記憶媒体。
【請求項６９】
前記記憶媒体は、ＲＯＭ（Ｒｅａｄ  Ｏｎｌｙ  Ｍｅｍｏｒｙ）チップであることを特徴とする請求項３７〜５９または６０記載の記憶媒体。
【発明の詳細な説明】
【０００１】
【発明の属する技術分野】
本発明は、例えば、デジタルカメラにより撮影した画像データの出力を制御する出力制御方法及び装置並びにこの出力制御装置を制御するための制御プログラムを格納した記憶媒体に関する。
【０００２】
【従来の技術】
一般的に、テレビジョン画像は、印刷画像と比較して解像度が低くてもよいが、高速で表示する必要がある。デジタルカメラにより撮影された画像データ（デジタルカメラデータ）には、そのような用途のためのサムネイル画像を持っており、このサムネイル画像をテレビジョン受像機に表示するための表示用データとして使用することがある。即ち、１つの画像情報は、元の解像度を持つ主画像データと、その間引き画像であるサムネイル画像データとからなり、主に前者は印刷するためのデータとして、後者はテレビジョン受像機等に表示するためのデータとして使用される。
【０００３】
【発明が解決しようとする課題】
前記サムネイル画像は、規格上その縦横比（アスペクト比）が規定されている。しかし、前記主画像のアスペクト比は規定されていない。もし、前記主画像と前記サムネイル画像のアスペクト比が異なる場合、例えば、ワイド画像を撮影した場合、図３に示すように規定されたアスペクト比の外形３０１の中に主画像の間引き画像３０２が配置された画像が、サムネイル画像として形成される。アスペクト比の外形３０１と主画像の間引き画像３０２との間は、黒データ（黒枠）が入っている。
【０００４】
このようなサムネイル画像をテレビジョン受像機等に表示するためのデータとして使用する場合、このままサムネイル画像全体を表示すると、前記黒データ  （黒枠）毎表示されるために、表示画像が見苦しくなるという問題点があった。
【０００５】
本発明は上述した従来の技術の有するこのような問題点に鑑みてなされたものであり、その第１の目的とするところは、画像データをテレビジョン受像機等に表示出力する際に、サムネイル画像と主画像のアスペクト比が異なる場合でも、前記主画像のアスペクト比画像を適正に表示出力できるようにした出力制御方法及び装置を提供することにある。
【０００６】
また、本発明の第２の目的とするところは、上述した本発明の出力制御装置を制御するための制御プログラムを格納した記憶媒体を提供することにある。
【０００７】
【課題を解決するための手段】
上記第１の目的を達成するために請求項１記載の出力制御方法は、撮像手段により撮影した画像データの出力を制御する出力制御方法であって、前記画像データを表示手段に表示するための表示制御工程を有し、該表示制御工程は、前記画像データの中のサムネイル画像と主画像とのアスペクト比を比較し、それらが同一であれば前記サムネイル画像を前記表示手段に表示する表示用データとして使用し、また、それらが異なれば前記主画像を前記表示用データとして使用するように制御することを特徴とする。
【０００８】
また、上記第１の目的を達成するために請求項２記載の出力制御方法は、請求項１記載の出力制御方法において、前記撮像手段は、デジタルカメラであることを特徴とする。
【０００９】
また、上記第１の目的を達成するために請求項３記載の出力制御方法は、請求項１記載の出力制御方法において、前記表示手段は、ＣＲＴ（Ｃａｔｈｏｄ  Ｒａｙ  Ｔｕｂｅ：陰極線管）表示器であることを特徴とする。
【００１０】
また、上記第１の目的を達成するために請求項４記載の出力制御方法は、請求項１記載の出力制御方法において、前記表示手段は、ＬＣＤ（Ｌｉｑｕｉｄ  Ｃｒｙｓｔａｌ  Ｄｉｓｐｌａｙ：液晶）表示器であることを特徴とする。
【００１１】
また、上記第１の目的を達成するために請求項５記載の出力制御方法は、請求項１〜３または４記載の出力制御方法において、前記表示手段は、テレビジョン受像機であることを特徴とする。
【００１２】
また、上記第１の目的を達成するために請求項６記載の出力制御装置は、撮像手段により撮影した画像データの出力を制御する出力制御装置であって、前記画像データを表示手段に表示するための表示制御手段を有し、該表示制御手段は、前記画像データの中のサムネイル画像と主画像とのアスペクト比を比較し、それらが同一であれば前記サムネイル画像を前記表示手段に表示する表示用データとして使用し、また、それらが異なれば前記主画像を前記表示用データとして使用するように制御することを特徴とする。
【００１３】
また、上記第１の目的を達成するために請求項７記載の出力制御装置は、請求項６記載の出力制御装置において、前記撮像手段は、デジタルカメラであることを特徴とする。
【００１４】
また、上記第１の目的を達成するために請求項８記載の出力制御装置は、請求項６記載の出力制御装置において、前記表示手段は、ＣＲＴ（Ｃａｔｈｏｄ  Ｒａｙ  Ｔｕｂｅ：陰極線管）表示器であることを特徴とする。
【００１５】
また、上記第１の目的を達成するために請求項９記載の出力制御装置は、請求項６記載の出力制御装置において、前記表示手段は、ＬＣＤ（Ｌｉｑｕｉｄ  Ｃｒｙｓｔａｌ  Ｄｉｓｐｌａｙ：液晶）表示器であることを特徴とする。
【００１６】
また、上記第１の目的を達成するために請求項１０記載の出力制御装置は、請求項６〜８または９記載の出力制御装置において、前記表示手段は、テレビジョン受像機であることを特徴とする。
【００１７】
また、上記第１の目的を達成するために請求項１１記載の出力制御方法は、撮像手段により撮影した画像データの出力を制御する出力制御方法であって、前記画像データを表示手段に表示するための表示制御工程を有し、該表示制御工程は、前記画像データの中のサムネイル画像と主画像との縦横比を比較し、それらが同一であれば前記サムネイル画像を前記表示手段に表示する表示用データとして使用し、また、それらが異なれば前記サムネイル画像を前記主画像の縦横比となるように切り取って前記表示用データとして使用するように制御することを特徴とする。
【００１８】
また、上記第１の目的を達成するために請求項１２記載の出力制御方法は、請求項１１記載の出力制御方法において、前記サムネイル画像を前記主画像の縦横比となるように切り取る際に、前記サムネイル画像と前記主画像の中心を合わせることを特徴とする。
【００１９】
また、上記第１の目的を達成するために請求項１３記載の出力制御方法は、請求項１１記載の出力制御方法において、前記サムネイル画像を前記主画像の縦横比となるように切り取る際に、前記表示制御工程は、前記撮像手段の機種情報を取得し、前記サムネイル画像の切り取る位置を判断することを特徴とする。
【００２０】
また、上記第１の目的を達成するために請求項１４記載の出力制御方法は、請求項１１記載の出力制御方法において、前記撮像手段は、デジタルカメラであることを特徴とする。
【００２１】
また、上記第１の目的を達成するために請求項１５記載の出力制御方法は、請求項１１記載の出力制御方法において、前記表示手段は、ＣＲＴ（Ｃａｔｈｏｄ  Ｒａｙ  Ｔｕｂｅ：陰極線管）表示器であることを特徴とする。
【００２２】
また、上記第１の目的を達成するために請求項１６記載の出力制御方法は、請求項１１記載の出力制御方法において、前記表示手段は、ＬＣＤ（Ｌｉｑｕｉｄ  Ｃｒｙｓｔａｌ  Ｄｉｓｐｌａｙ：液晶）表示器であることを特徴とする。
【００２３】
また、上記第１の目的を達成するために請求項１７記載の出力制御方法は、請求項１１〜１５または１６記載の出力制御方法において、前記表示手段は、テレビジョン受像機であることを特徴とする。
【００２４】
また、上記第１の目的を達成するために請求項１８記載の出力制御装置は、撮像手段により撮影した画像データの出力を制御する出力制御装置であって、前記画像データを表示手段に表示するための表示制御手段を有し、該表示制御手段は、前記画像データの中のサムネイル画像と主画像との縦横比を比較し、それらが同一であれば前記サムネイル画像を前記表示手段に表示する表示用データとして使用し、また、それらが異なれば前記サムネイル画像を前記主画像の縦横比となるように切り取って前記表示用データとして使用するように制御することを特徴とする。
【００２５】
また、上記第１の目的を達成するために請求項１９記載の出力制御装置は、請求項１８記載の出力制御装置において、前記サムネイル画像を前記主画像の縦横比となるように切り取る際に、前記サムネイル画像と前記主画像の中心を合わせることを特徴とする。
【００２６】
また、上記第１の目的を達成するために請求項２０記載の出力制御装置は、請求項１８記載の出力制御装置において、前記サムネイル画像を前記主画像の縦横比となるように切り取る際に、前記表示制御手段は、前記撮像手段の機種情報を取得し、前記サムネイル画像の切り取る位置を判断することを特徴とする。
【００２７】
また、上記第１の目的を達成するために請求項２１記載の出力制御装置は、請求項１８記載の出力制御装置において、前記撮像手段は、デジタルカメラであることを特徴とする。
【００２８】
また、上記第１の目的を達成するために請求項２２記載の出力制御装置は、請求項１８記載の出力制御装置において、前記表示手段は、ＣＲＴ（Ｃａｔｈｏｄ  Ｒａｙ  Ｔｕｂｅ：陰極線管）表示器であることを特徴とする。
【００２９】
また、上記第１の目的を達成するために請求項２３記載の出力制御装置は、請求項１８記載の出力制御装置において、前記表示手段は、ＬＣＤ（Ｌｉｑｕｉｄ  Ｃｒｙｓｔａｌ  Ｄｉｓｐｌａｙ：液晶）表示器であることを特徴とする。
【００３０】
また、上記第１の目的を達成するために請求項２４記載の出力制御装置は、請求項１８〜２２または２３記載の出力制御装置において、前記表示手段は、テレビジョン受像機であることを特徴とする。
【００３１】
また、上記第１の目的を達成するために請求項２５記載の出力制御方法は、撮像手段により撮影した画像データの出力を制御する出力制御方法であって、前記画像データを読み込む画像データ読み込み工程と、該画像データ読み込み工程により読み込んだ前記画像データを表示手段に表示するための表示制御工程と、該表示制御工程の指示に従って前記表示手段に表示するための表示データを形成する表示データ形成工程と、該表示データ形成工程により形成した表示データを前記表示手段に出力する表示データ出力工程とを有し、該表示制御工程は、前記画像データ読み込み工程により読み込んだ画像データの中のサムネイル画像と主画像とのアスペクト比を比較し、それらが同一であれば前記サムネイル画像を前記表示手段に表示する表示用データとして使用し、また、それらが異なれば前記主画像を前記表示用データとして使用するように制御することを特徴とする。
【００３２】
また、上記第１の目的を達成するために請求項２６記載の出力制御方法は、請求項２５記載の出力制御方法において、前記撮像手段は、デジタルカメラであることを特徴とする。
【００３３】
また、上記第１の目的を達成するために請求項２７記載の出力制御方法は、請求項２５記載の出力制御方法において、前記表示手段は、ＣＲＴ（Ｃａｔｈｏｄ  Ｒａｙ  Ｔｕｂｅ：陰極線管）表示器であることを特徴とする。
【００３４】
また、上記第１の目的を達成するために請求項２８記載の出力制御方法は、請求項２５記載の出力制御方法において、前記表示手段は、ＬＣＤ（Ｌｉｑｕｉｄ  Ｃｒｙｓｔａｌ  Ｄｉｓｐｌａｙ：液晶）表示器であることを特徴とする。
【００３５】
また、上記第１の目的を達成するために請求項２９記載の出力制御方法は、請求項２５〜２７または２８記載の出力制御方法において、前記表示手段は、テレビジョン受像機であることを特徴とする。
【００３６】
また、上記第１の目的を達成するために請求項３０記載の出力制御装置は、撮像手段により撮影した画像データの出力を制御する出力制御装置であって、前記画像データを読み込む画像データ読み込み手段と、該画像データ読み込み手段により読み込んだ前記画像データを表示手段に表示するための表示制御手段と、該表示制御手段の指示に従って前記表示手段に表示するための表示データを形成する表示データ形成手段と、該表示データ形成手段により形成した表示データを前記表示手段に出力する表示データ出力手段とを有し、該表示制御手段は、前記画像データ読み込み手段により読み込んだ前記画像データの中のサムネイル画像と主画像との縦横比を比較し、それらが同一であれば前記サムネイル画像を前記表示手段に表示する表示用データとして使用し、また、それらが異なれば前記サムネイル画像を前記主画像の縦横比となるように切り取り前記表示用データとして使用するように制御することを特徴とする。
【００３７】
また、上記第１の目的を達成するため請求項３１記載の出力制御装置は、請求項３０記載の出力制御装置において、前記サムネイル画像を前記主画像の縦横比となるように切り取る際に、前記サムネイル画像と前記主画像の中心を合わせることを特徴とする。
【００３８】
また、上記第１の目的を達成するため請求項３２記載の出力制御装置は、請求項３０記載の出力制御装置において、前記サムネイル画像を前記主画像の縦横比となるように切り取る際に、前記表示制御手段は、前記撮像手段の機種情報を取得し、前記サムネイル画像の切り取る位置を判断することを特徴とする。
【００３９】
また、上記第１の目的を達成するため請求項３３記載の出力制御装置は、請求項３０記載の出力制御装置において、前記撮像手段は、デジタルカメラであることを特徴とする。
【００４０】
また、上記第１の目的を達成するため請求項３４記載の出力制御装置は、請求項３０記載の出力制御装置において、前記表示手段は、ＣＲＴ（Ｃａｔｈｏｄ  Ｒａｙ  Ｔｕｂｅ：陰極線管）表示器であることを特徴とする。
【００４１】
また、上記第１の目的を達成するため請求項３５記載の出力制御装置は、請求項３０記載の出力制御装置において、前記表示手段は、ＬＣＤ（Ｌｉｑｕｉｄ  Ｃｒｙｓｔａｌ  Ｄｉｓｐｌａｙ：液晶）表示器であることを特徴とする。
【００４２】
また、上記第１の目的を達成するため請求項３６記載の出力制御装置は、請求項３０〜３４または３５記載の出力制御装置において、前記表示手段は、テレビジョン受像機であることを特徴とする。
【００４３】
また、上記第２の目的を達成するため請求項３７記載の記憶媒体は、撮像手段により撮影した画像データの出力を制御する出力制御装置を制御するための制御プログラムを格納し且つ読取手段により読み取り可能な記憶媒体であって、前記制御プログラムは、前記画像データを表示手段に表示するための表示制御モジュールを有し、該表示制御モジュールは、前記画像データの中のサムネイル画像と主画像とのアスペクト比を比較し、それらが同一であれば前記サムネイル画像を前記表示手段に表示する表示用データとして使用し、また、それらが異なれば前記主画像を前記表示用データとして使用するように制御することを特徴とする。
【００４４】
また、上記第２の目的を達成するため請求項３８記載の記憶媒体は、請求項３７記載の記憶媒体において、前記撮像手段は、デジタルカメラであることを特徴とする。
【００４５】
また、上記第２の目的を達成するため請求項３９記載の記憶媒体は、請求項３７記載の記憶媒体において、前記表示手段は、ＣＲＴ（Ｃａｔｈｏｄ  Ｒａｙ  Ｔｕｂｅ：陰極線管）表示器であることを特徴とする。
【００４６】
また、上記第２の目的を達成するため請求項４０記載の記憶媒体は、請求項３７記載の記憶媒体において、前記表示手段は、ＬＣＤ（Ｌｉｑｕｉｄ  Ｃｒｙｓｔａｌ  Ｄｉｓｐｌａｙ：液晶）表示器であることを特徴とする。
【００４７】
また、上記第２の目的を達成するため請求項４１記載の記憶媒体は、請求項３７〜３９または４０記載の記憶媒体において、前記表示手段は、テレビジョン受像機であることを特徴とする。
【００４８】
また、上記第２の目的を達成するため請求項４２記載の記憶媒体は、撮像手段により撮影した画像データの出力を制御する出力制御装置を制御するための制御プログラムを格納し且つ読取手段により読み取り可能な記憶媒体であって、前記制御プログラムは、前記画像データを表示手段に表示するための表示制御手段を有し、該表示制御手段は、前記画像データの中のサムネイル画像と主画像との縦横比を比較し、それらが同一であれば前記サムネイル画像を前記表示手段に表示する表示用データとして使用し、また、それらが異なれば前記サムネイル画像を前記主画像の縦横比となるように切り取って前記表示用データとして使用するように制御することを特徴とする。
【００４９】
また、上記第２の目的を達成するため請求項４３記載の記憶媒体は、請求項４２記載の記憶媒体において、前記サムネイル画像を前記主画像の縦横比となるように切り取る際に、前記サムネイル画像と前記主画像の中心を合わせることを特徴とする。
【００５０】
また、上記第２の目的を達成するため請求項４４記載の記憶媒体は、請求項４２記載の記憶媒体において、前記サムネイル画像を前記主画像の縦横比となるように切り取る際に、前記表示制御手段は、前記撮像手段の機種情報を取得し、前記サムネイル画像の切り取る位置を判断することを特徴とする。
【００５１】
また、上記第２の目的を達成するため請求項４５記載の記憶媒体は、請求項４２記載の記憶媒体において、前記撮像手段は、デジタルカメラであることを特徴とする。
【００５２】
また、上記第２の目的を達成するため請求項４６記載の記憶媒体は、請求項４２記載の記憶媒体において、前記表示手段は、ＣＲＴ（Ｃａｔｈｏｄ  Ｒａｙ  Ｔｕｂｅ：陰極線管）表示器であることを特徴とする。
【００５３】
また、上記第２の目的を達成するため請求項４７記載の記憶媒体は、請求項４２記載の記憶媒体において、前記表示手段は、ＬＣＤ（Ｌｉｑｕｉｄ  Ｃｒｙｓｔａｌ  Ｄｉｓｐｌａｙ：液晶）表示器であることを特徴とする。
【００５４】
また、上記第２の目的を達成するため請求項４８記載の記憶媒体は、請求項４２〜４６または４７記載の記憶媒体において、前記表示手段は、テレビジョン受像機であることを特徴とする。
【００５５】
また、上記第２の目的を達成するため請求項４９記載の記憶媒体は、撮像手段により撮影した画像データの出力を制御する出力制御装置を制御するための制御プログラムを格納した記憶媒体であって、前記制御プログラムは、前記画像データを読み込む画像データ読み込みモジュールと、該画像データ読み込みモジュールにより読み込んだ前記画像データを表示手段に表示するための表示制御モジュールと、該表示制御モジュールの指示に従って前記表示手段に表示するための表示データを形成する表示データ形成モジュールと、該表示データ形成モジュールにより形成した表示データを前記表示手段に出力する表示データ出力モジュールとを有し、該表示制御モジュールは、前記画像データ読み込みモジュールにより読み込んだ画像データの中のサムネイル画像と主画像とのアスペクト比を比較し、それらが同一であれば前記サムネイル画像を前記表示手段に表示する表示用データとして使用し、また、それらが異なれば前記主画像を前記表示用データとして使用するように制御することを特徴とする。
【００５６】
また、上記第２の目的を達成するため請求項５０記載の記憶媒体は、請求項４９記載の記憶媒体において、前記撮像手段は、デジタルカメラであることを特徴とする。
【００５７】
また、上記第２の目的を達成するため請求項５１記載の記憶媒体は、請求項４９記載の記憶媒体において、前記表示手段は、ＣＲＴ（Ｃａｔｈｏｄ  Ｒａｙ  Ｔｕｂｅ：陰極線管）表示器であることを特徴とする。
【００５８】
また、上記第２の目的を達成するため請求項５２記載の記憶媒体は、請求項４９記載の記憶媒体において、前記表示手段は、ＬＣＤ（Ｌｉｑｕｉｄ  Ｃｒｙｓｔａｌ  Ｄｉｓｐｌａｙ：液晶）表示器であることを特徴とする。
【００５９】
また、上記第２の目的を達成するため請求項５３記載の記憶媒体は、請求項４９〜５１または５２記載の記憶媒体において、前記表示手段は、テレビジョン受像機であることを特徴とする。
【００６０】
また、上記第２の目的を達成するため請求項５４記載の記憶媒体は、撮像手段により撮影した画像データの出力を制御する出力制御装置を制御するための制御プログラムを格納した記憶媒体であって、前記制御プログラムは、前記画像データを読み込む画像データ読み込みモジュールと、該画像データ読み込みモジュールにより読み込んだ前記画像データを表示手段に表示するための表示制御モジュールと、該表示制御モジュールの指示に従って前記表示手段に表示するための表示データを形成する表示データ形成モジュールと、該表示データ形成モジュールにより形成した表示データを前記表示手段に出力する表示データ出力モジュールとを有し、該表示制御モジュールは、前記画像データ読み込みモジュールにより読み込んだ前記画像データの中のサムネイル画像と主画像との縦横比を比較し、それらが同一であれば前記サムネイル画像を前記表示手段に表示する表示用データとして使用し、また、それらが異なれば前記サムネイル画像を前記主画像の縦横比となるように切り取り前記表示用データとして使用するように制御することを特徴とする。
【００６１】
また、上記第２の目的を達成するため請求項５５記載の記憶媒体は、請求項５４記載の記憶媒体において、前記サムネイル画像を前記主画像の縦横比となるように切り取る際に、前記サムネイル画像と前記主画像の中心を合わせることを特徴とする。
【００６２】
また、上記第２の目的を達成するため請求項５６記載の記憶媒体は、請求項５４記載の記憶媒体において、前記サムネイル画像を前記主画像の縦横比となるように切り取る際に、前記表示制御手段は、前記撮像手段の機種情報を取得し、前記サムネイル画像の切り取る位置を判断することを特徴とする。
【００６３】
また、上記第２の目的を達成するため請求項５７記載の記憶媒体は、請求項５４記載の記憶媒体において、前記撮像手段は、デジタルカメラであることを特徴とする。
【００６４】
また、上記第２の目的を達成するため請求項５８記載の記憶媒体は、請求項５４記載の記憶媒体において、前記表示手段は、ＣＲＴ（Ｃａｔｈｏｄ  Ｒａｙ  Ｔｕｂｅ：陰極線管）表示器であることを特徴とする。
【００６５】
また、上記第２の目的を達成するため請求項５９記載の記憶媒体は、請求項５４記載の記憶媒体において、前記表示手段は、ＬＣＤ（Ｌｉｑｕｉｄ  Ｃｒｙｓｔａｌ  Ｄｉｓｐｌａｙ：液晶）表示器であることを特徴とする。
【００６６】
また、上記第２の目的を達成するため請求項６０記載の記憶媒体は、請求項５４〜５８または５９記載の記憶媒体において、前記表示手段は、テレビジョン受像機であることを特徴とする。
【００６７】
また、上記第２の目的を達成するため請求項６１記載の記憶媒体は、請求項３７〜５９または６０記載の記憶媒体において、前記記憶媒体は、フロッピーディスクであることを特徴とする。
【００６８】
また、上記第２の目的を達成するため請求項６２記載の記憶媒体は、請求項３７〜５９または６０記載の記憶媒体において、前記記憶媒体は、ハードディスクであることを特徴とする。
【００６９】
また、上記第２の目的を達成するため請求項６３記載の記憶媒体は、請求項３７〜５９または６０記載の記憶媒体において、前記記憶媒体は、光ディスクであることを特徴とする。
【００７０】
また、上記第２の目的を達成するため請求項６４記載の記憶媒体は、請求項３７〜５９または６０記載の記憶媒体において、前記記憶媒体は、光磁気ディスクであることを特徴とする。
【００７１】
また、上記第２の目的を達成するため請求項６５記載の記憶媒体は、請求項３７〜５９または６０記載の記憶媒体において、前記記憶媒体は、ＣＤ−ＲＯＭ  （Ｃｏｍｐａｃｔ  Ｄｉｓｋ  Ｒｅａｄ  Ｏｎｌｙ  Ｍｅｍｏｒｙ）であることを特徴とする。
【００７２】
また、上記第２の目的を達成するため請求項６６記載の記憶媒体は、請求項３７〜５９または６０記載の記憶媒体において、前記記憶媒体は、ＣＤ−Ｒ（Ｃｏｍｐａｃｔ  Ｄｉｓｋ  Ｒｅｃｏｒｄａｂｌｅ）であることを特徴とする。
【００７３】
また、上記第２の目的を達成するため請求項６７記載の記憶媒体は、請求項３７〜５９または６０記載の記憶媒体において、前記記憶媒体は、磁気テープであることを特徴とする。
【００７４】
また、上記第２の目的を達成するため請求項６８記載の記憶媒体は、請求項３７〜５９または６０記載の記憶媒体において、前記記憶媒体は、不揮発性メモリカードであることを特徴とする。
【００７５】
更に、上記第２の目的を達成するため請求項６９記載の記憶媒体は、請求項３７〜５９または６０記載の記憶媒体において、前記記憶媒体は、ＲＯＭ（Ｒｅａｄ  Ｏｎｌｙ  Ｍｅｍｏｒｙ）チップであることを特徴とする。
【００７６】
【発明の実施の形態】
以下、本発明の一実施の形態を図面に基づき説明する。
【００７７】
図１は、本実施の形態に係る出力制御装置（プリンタコントローラ）を具備したプリンタシステムの構成を示すブロック図である。同図において、１０１は撮像手段であるデジタルカメラ、１０２はメモリカードで、デジタルカメラ１０１により撮影した画像データを保持するもので、該デジタルカメラ１０１に対して着脱自在となっている。１０３は本発明の出力制御装置であるプリンタコントローラで、メモリカード１０２に保持された画像データを読み込み、その読み込んだ画像データの出力を制御するものである。１０４は表示手段としてのテレビジョン受像機（ＴＶ）で、ＣＲＴ（Ｃａｔｈｏｄ  Ｒａｙ  Ｔｕｂｅ：陰極線管）或いはＬＣＤ（Ｌｉｑｕｉｄ  Ｃｒｙｓｔａｌ  Ｄｉｓｐｌａｙ：液晶表示器）等からなり、プリンタコントローラ１０３に接続され該プリンタコントローラ１０３により制御されて、画像データを表示出力するものである。１０５はプリンタで、プリンタコントローラ１０３に接続されており、該プリンタコントローラ１０３により制御されて画像データを印刷出力するものである。
【００７８】
プリンタコントローラ１０３には、メモリカード１０２を挿入するスロットがあり、メモリカード１０２に保持された画像データをユーザーの操作に応じてテレビジョン受像機１０４に表示すると共に、プリンタ１０５から印刷出力するように制御する。デジタルカメラ１０１からの画像データは、ＤＣＦ、ＣＩＦＦ、Ｅｘｉｆ等の規格で規定されており、その仕様に基づいてプリンタコントローラ１０３は解析、処理する。
【００７９】
図２は、プリンタコントローラ１０３の機能構成例を示すブロック図である。同図に示すようにプリンタコントローラ１０３は、動作制御部２０１、ユーザーインターフェース制御部２０２、操作パネル２０３、メモリカードＩ／Ｆ（インターフェース）２０４、ファイルシステム２０５、画像データ解析部２０６、ＴＶ表示制御部２０７、ＴＶ表示レンダラ２０８、印刷制御部２０９及び印刷レンダラ２１０を有している。
【００８０】
ＴＶ表示制御部２０７はＴＶ１０４に、印刷制御部２０９はプリンタ１０５にそれぞれ接続されている。
【００８１】
次に、上記構成になるプリンタコントローラ１０３の動作を説明する。
【００８２】
動作制御部２０１がユーザーインターフェース制御部２０２及び操作パネル２０３を介したユーザーの操作に応じて統合的に制御する。ユーザーはメモリカード１０２をスロットに挿入し、メモリカードＩ／Ｆ２０４及びファイルシステム２０５を介して画像データ解析部２０６が画像データを解析する。
【００８３】
そして、ＴＶ表示を行う場合は、ＴＶ表示制御部２０７は画像データ解析部２０６から表示用画像データを読み込み、ＴＶ表示レンダラ２０８で表示用画像データを描画形成し、ＴＶ１０４に出力する。
【００８４】
また、印刷を行う場合は、印刷制御部２０９は、画像データ解析部２０６から印刷用画像データを読み込み、印刷レンダラ２１０で印刷画像データを形成し、プリンタ１０５へ出力する。
【００８５】
ここで、本発明の要旨である表示用画像データの形成方式について説明する。まず、サムネイル画像と主画像のアスペクト比情報を画像データ解析部２０６から取得し、これらを互いに比較する。そして、若し、それらが同一であれば、サムネイル画像をそのまま表示用画像データとして使用し、また、それらが異なる場合は、下記（１）〜（３）のいずれかの方式を選択して実行する。
（１）主画像を表示用画像データとして使用する。
（２）サムネイル画像を主画像のアスペクト比にクリッピング処理する。これは、例えば、サムネイル画像と主画像の中心を合わせて、サムネイル画像の上下若しくは左右を主画像のアスペクト比と同一になるように切り取る。
（３）撮影したデジタルカメラ１０１の機種情報からクリッピング処理方式を判定してクリッピング処理を行う。例えば、サムネイル画像と主画像のアスペクト比が異なる場合、サムネイル画像と主画像の中心が異なる場合も有り得る。その場合、前記デジタルカメラ１０１の機種情報からサムネイル画像全体の中の実際の撮影データ位置を判定し、クリッピング処理を行う。
【００８６】
【発明の効果】
以上詳述したように本発明の出力制御方法及び装置によれば、画像データのサムネイル画像と主画像の縦横比を比較し、それらが同一であればサムネイル画像を表示用データとして使用し、また、それらが異なれば主画像を表示用データとして使用することにより、主画像に忠実な画像を表示することができる。
【００８７】
また、本発明の出力制御方法及び装置によれば、画像データのサムネイル画像と主画像の縦横比を比較し、それらが同一であればサムネイル画像を表示用データとして使用し、また、それらが異なればサムネイル画像を主画像の縦横比になるように切り取って表示用データとして使用することにより、主画像に忠実な画像を表示することができる。
【００８８】
また、前記サムネイル画像を主画像の縦横比になるように切り取る際に、撮像手段の機種情報を取得し、サムネイル画像の切り取る位置を判断することにより、確実にサムネイル画像中の有効な画像を表示させることができる。
【００８９】
また、本発明の記憶媒体によれば、上述した本発明の出力制御装置を円滑に制御することができる。
【図面の簡単な説明】
【図１】本発明の一実施の形態に係る出力制御装置（プリンタコントローラ）を有するプリンタシステムの構成を示すブロック図である。
【図２】本発明の一実施の形態に係る出力制御装置の機能構成を示すブロック図である。
【図３】サムネイル画像の概念図である。
【符号の説明】
１０１    デジタルカメラ（撮像手段）
１０２    メモリカード
１０３    出力制御装置（プリンタコントローラ）
１０４    表示手段（テレビジョン受像機：ＴＶ）
１０５    プリンタ
２０１    動作制御部
２０２    ユーザーインターフェース制御部
２０３    操作パネル
２０４    メモリカードＩ／Ｆ（インターフェース）
２０５    ファイルシステム
２０６    画像データ解析部
２０７    ＴＶ表示制御部
２０８    ＴＶ表示レンダラ
２０９    印刷制御部
２１０    印刷レンダラ
【図１】
0004194191.tif 000002
【図２】
0004194191.tif 000003
【図３】
0004194191.tif 000004